(57)【要約】【課題】本発明は、ＩＰ網に未登録の移動端末へのメッセージを着信させることができるメッセージ着信方法、認証サーバ、アプリケーションサーバ及び移動端末を提供することを目的とする。【解決手段】移動端末がＩＰ網によって構築された移動ネットワークに接続するとき移動端末のネットワーク接続認証を行い、モバイルＩＰによるホームエージェントまでのパス設定が行われたのち、ホームエージェントと移動端末の移動管理サービス認証を行う認証サーバにおいて、移動端末のＩＰアドレスと移動端末のドメイン名を、ＩＰアドレスとドメイン名を管理するドメイン管理サーバに登録する登録手段を有する。【選択図】図９
2008167021.tif 000002
【特許請求の範囲】
【請求項１】
移動端末がＩＰ網によって構築された移動ネットワークに接続するとき前記移動端末のネットワーク接続認証を行い、モバイルＩＰによるホームエージェントまでのパス設定が行われたのち、ホームエージェントと前記移動端末の移動管理サービス認証を行う認証サーバにおいて、
前記移動端末のＩＰアドレスと前記移動端末のドメイン名を、ＩＰアドレスとドメイン名を管理するドメイン管理サーバに登録する登録手段を
有することを特徴とする認証サーバ。
【請求項２】
請求項１記載の認証サーバにおいて、
前記移動端末のネットワーク接続認証を行うときにＩＰ網の加入者管理サーバから取得した前記移動端末の電話番号をＥＮＵＭ形式のドメイン名に変換するＥＮＵＭ変換手段を有し、
前記電話番号をＥＮＵＭ形式に変換したドメイン名を前記移動端末のドメイン名として前記ドメイン管理サーバに登録することを特徴とする認証サーバ。
【請求項３】
移動ネットワークが接続されたＩＰ網のアプリケーションサーバにおいて、
前記ＩＰ網の加入者管理サーバに未登録の移動端末に対する着信メッセージが供給されたとき、前記着信移動端末の電話番号をＥＮＵＭ形式のドメイン名に変換するＥＮＵＭ変換手段を有し、
前記ＥＮＵＭ変換手段で変換されたＥＮＵＭ形式のドメイン名でドメイン管理サーバを参照して着信移動端末のＩＰアドレスを取得する参照手段を
有することを特徴とするアプリケーションサーバ。
【請求項４】
請求項３記載のアプリケーションサーバにおいて、
前記ＩＰ網は、セッション開始プロトコルを用いたことを特徴とするアプリケーションサーバ。
【請求項５】
請求項４記載のアプリケーションサーバにおいて、
前記参照手段で取得したＩＰアドレスの着信移動端末に対し登録要求メッセージを送信する登録要求手段を
有することを特徴とするアプリケーションサーバ。
【請求項６】
請求項５記載のアプリケーションサーバにおいて、
前記登録要求手段が前記登録要求メッセージを送信する前に、前記加入者管理サーバに対し、前記登録要求メッセージを送信する移動端末の登録が完了したとき完了通知を行うよう要求する通知要求手段を
有することを特徴とするアプリケーションサーバ。
【請求項７】
請求項６記載のアプリケーションサーバにおいて、
前記加入者管理サーバから前記完了通知を受けたとき、前記着信メッセージを前記着信移動端末に送信する着信メッセージ送信手段を
有することを特徴とするアプリケーションサーバ。
【請求項８】
請求項４記載の登録要求メッセージを受信したとき、前記ＩＰ網の加入者管理サーバに対し登録メッセージを送信する登録実行手段を
有することを特徴とする移動端末。
【請求項９】
ＩＰ網によって構築された移動ネットワークのメッセージ着信方法であって、
移動端末が前記移動ネットワークに接続するとき前記移動端末のネットワーク接続認証を行い、モバイルＩＰによるホームエージェントまでのパス設定が行われたのち、ホームエージェントと前記移動端末の移動管理サービス認証を行う認証サーバは、
前記移動端末のネットワーク接続認証を行うときにＩＰ網の加入者管理サーバから取得した前記移動端末の電話番号をＥＮＵＭ形式のドメイン名に変換し、
前記電話番号をＥＮＵＭ形式に変換したドメイン名を前記移動端末のドメイン名として前記ドメイン管理サーバに登録し、
移動ネットワークが接続されたＩＰ網のアプリケーションサーバは、
前記ＩＰ網の加入者管理サーバに未登録の移動端末に対する着信メッセージが供給されたとき、前記着信移動端末の電話番号をＥＮＵＭ形式のドメイン名に変換し、
変換されたＥＮＵＭ形式のドメイン名でドメイン管理サーバを参照して着信移動端末のＩＰアドレスを取得し、
取得したＩＰアドレスの着信移動端末に対し登録要求メッセージを送信し、
移動端末は、前記登録要求メッセージを受信したとき前記ＩＰ網の加入者管理サーバに対し登録メッセージを送信し、
前記アプリケーションサーバは、前記登録要求メッセージを送信する前に、前記加入者管理サーバに対し、前記登録要求メッセージを送信する移動端末の登録が完了したとき完了通知を行うよう要求し、
前記加入者管理サーバから前記完了通知を受けたとき、前記着信メッセージを前記着信移動端末に送信する
ことを特徴とするメッセージ着信方法。
【請求項１０】
請求項９記載のメッセージ着信方法において、
前記ＩＰ網は、セッション開始プロトコルを用いたことを特徴とするメッセージ着信方法。
【発明の詳細な説明】
【技術分野】
【０００１】
本発明は、メッセージ着信方法、認証サーバ、アプリケーションサーバ及び移動端末に関し、ＩＰ網によって構築された移動ネットワークにおける移動端末にメッセージを着信させるメッセージ着信方法、認証サーバ、アプリケーションサーバ及び移動端末に関する。
【背景技術】
【０００２】
近年、移動ネットワークにおける電話の仕組みがＩＰ（Ｉｎｔｅｒｎｅｔ  Ｐｒｏｔｏｃｏｌ）上のアーキテクチャに基づくＩＭＳ（ＩＰ  Ｍｕｌｔｉｍｅｄｉａ  Ｓｕｂｓｙｓｔｅｍ）に移行しようとしており、従来の移動ネットワークにおける電話システムのアーキテクチャと同等の常時接続性がＩＰアーキテクチャに基づく移動ネットワークに求められている。
【０００３】
無線ネットワークにおいては、移動端末の移動等により無線基地局との接続が不能となる場合がある。このような場合、無線リソースが貴重であることから、一般に短時間で無線リソースが解放される。
【０００４】
ＩＰ電話のようなアプリケーションが動作している場合、長時間の無線の切断状態の後にＩＭＳ等の登録が解除されるが、図１に示すように、移動端末からＩＭＳに対する位置登録周期が長い場合、又は移動端末が再登録を行わない場合、無線接続再開後、その移動端末への着信ができない期間が発生する。
【０００５】
このため、ＩＭＴ−２０００等の第３世代ネットワークではこのような場合に、ＳＩＰ（Ｓｅｓｓｉｏｎ  Ｉｎｉｔｉａｔｉｏｎ  Ｐｒｏｔｏｃｏｌ：セッション開始プロトコル）ではなく、ショート・メッセージ（ＳＭ）を用いて移動端末を起動する。
【０００６】
また、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）システムではＩＰパケットの着信があったとき、無線のページングの機能とモバイルＩＰの連携により無線接続を再開し、ＩＰパケットを移動端末に送ることができる。
【０００７】
<ＩＭＳにおける未登録移動端末への着信>
図２は、ＩＭＳによるＩＰ電話の仕組みを示すシステム構成図である。ＩＭＳ２０では移動端末の移動を前提とするため、各移動端末は移動先のネットワークにおいてＩＭＳ２０に対する登録が必要になる。
【０００８】
まず、移動端末１は接続した移動ネットワーク２１において見つかるＰ−ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）２にＳＩＰのＲＥＧＩＳＴＥＲメッセージを送信する。
【０００９】
Ｐ−ＣＳＣＦ２は、ＩＭＳ２０において移動端末１の呼制御を担当するＳ−ＣＳＣＦ（Ｓｅｒｖｉｎｇ  Ｃａｌｌ  Ｓｅｓｓｉｏｎ  Ｃｏｎｔｒｏｌ  Ｆｕｎｃｔｉｏｎ）４を割り当てるためにＩ−ＣＳＣＦ（Ｉｎｔｅｒｒｏｇａｔｉｎｇ  Ｃａｌｌ  Ｓｅｓｓｉｏｎ  Ｃｏｎｔｒｏｌ  Ｆｕｎｃｔｉｏｎ）３にＳＩＰの．ＲＥＧＩＳＴＥＲメッセージを送信する。
【００１０】
Ｉ−ＣＳＣＦ３は、ＨＳＳ（Ｈｏｍｅ  Ｓｕｂｓｃｒｉｂｅｒ  Ｓｅｒｖｅｒ）５に問い合わせを行ってＳ−ＣＳＣＦ４を選択し、Ｓ−ＣＳＣＦ４にＳＩＰのＲＥＧＩＳＴＥＲメッセージを送信する。
【００１１】
Ｓ−ＣＳＣＦ４は、自アドレスと加入者識別情報をＨＳＳ５に登録し、ＨＳＳ５から加入者データ（Ｕｓｅｒ  Ｐｒｏｆｉｌｅ）を取得することにより、移動端末１に対する呼制御の準備が完了する。
【００１２】
図３は、ＩＭＳ２０におけるメッセージの発着信を示すシステム構成図である。
【００１３】
まず、移動端末１は、Ｐ−ＣＳＣＦ２に向けて移動ネットワーク２２に接続されている移動端末８に対しＳＩＰのＩＮＶＩＴＥメッセージを送信する。
【００１４】
次にＰ−ＣＳＣＦ２は、Ｓ−ＣＳＣＦ４にＳＩＰのＩＮＶＩＴＥメッセージを送信し、Ｓ−ＣＳＣＦ４は移動端末８に割り付けられているＳ−ＣＳＣＦ６にＳＩＰのＩＮＶＩＴＥメッセージを送信するため、Ｉ−ＣＳＣＦ３にＳＩＰのＩＮＶＩＴＥメッセージを送信する。
【００１５】
Ｉ−ＣＳＣＦ３はＨＳＳ５に問い合わせを行い、移動端末８に割りつけられているＳ−ＣＳＣＦ６のアドレスを取得し、Ｓ−ＣＳＣＦ６にＳＩＰのＩＮＶＩＴＥメッセージを送信する。
【００１６】
Ｓ−ＣＳＣＦ６はＰ−ＣＳＣＦ７にＳＩＰのＩＮＶＩＴＥメッセージを送信し、Ｐ−ＣＳＣＦ７が移動端末８に送信することにより、移動端末８にＳＩＰのＩＮＶＩＴＥメッセージが着信する。
【００１７】
図４及び図５は移動端末８が未登録の場合のメッセージ発着信を示すシステム構成図である。図４はショート・メッセージによって移動端末８に着信を知らせるまでを示し、図５はショート・メッセージを受けた移動端末８が登録を行い、ＳＩＰのＩＮＶＩＴＥメッセージを受信するまでを示す。
【００１８】
図４において、まず、移動端末１がＰ−ＣＳＣＦ２に向けて移動端末８に対するＳＩＰのＩＮＶＩＴＥメッセージを送信し、Ｐ−ＣＳＣＦ２からＳ−ＣＳＣＦ４にＳＩＰのＩＮＶＩＴＥメッセージが送信される。
【００１９】
次にＳ−ＣＳＣＦ４は、移動端末８に割りつけられているＳ−ＣＳＣＦにＳＩＰのＩＮＶＩＴＥメッセージを送信するため、Ｉ−ＣＳＣＦ３にＳＩＰのＩＮＶＩＴＥメッセージを送信する。
【００２０】
Ｉ−ＣＳＣＦ３は、ＨＳＳ５に対し移動端末８に割りつけられているＳ−ＣＳＣＦの問い合わせを行うが、未登録であるため、新たにＳ−ＣＳＣＦ６を割り当て、ＳＩＰのＩＮＶＩＴＥメッセージを送信する。
【００２１】
Ｓ−ＣＳＣＦ６は移動端末８の情報を持たないため、ＨＳＳ５から移動端末８の加入者データを取得する。未登録時に着信した場合の動作としてＡＳ（Ａｐｐｌｉｃａｔｉｏｎ  Ｓｅｒｖｅｒ）９の実行が加入者データ中に指示されている場合、Ｓ−ＣＳＣＦ６はＳＩＰのＩＮＶＩＴＥメッセージをＡＳ９に送信する。
【００２２】
ＡＳ９は、移動端末８に登録を行わせるためにＳＭＳＣ（Ｓｈｏｒｔ  Ｍｅｓｓａｇｅ  Ｓｅｒｖｉｃｅ  Ｃｅｎｔｅｒ）１０を介して移動端末８にショート・メッセージを送信する。また、ＡＳ９はショート・メッセージ送信を行う前にＨＳＳ５に移動端末８が登録を行った場合、その通知を行うように登録を行う。
【００２３】
図５において、ショート・メッセージを受信した移動端末８は登録のためにＰ−ＣＳＣＦ７にＳＩＰのＲＥＧＩＳＴＥＲメッセージを送信する。
【００２４】
Ｐ−ＣＳＣＦ７は、移動端末８の呼制御を担当するＳ−ＣＳＣＦ６を割り当てるためにＩ−ＣＳＣＦ３にＳＩＰのＲＥＧＩＳＴＥＲメッセージを送信する。
【００２５】
Ｉ−ＣＳＣＦ３はＨＳＳ５に問い合わせを行い、Ｓ−ＣＳＣＦ６を選択し、Ｓ−ＣＳＣＦ６にＳＩＰのＲＥＧＩＳＴＥＲメッセージを送信する。
【００２６】
Ｓ−ＣＳＣＦ６は自アドレスと加入者識別情報をＨＳＳ５に登録し、ＨＳＳ５から加入者データ（Ｕｓｅｒ  Ｐｒｏｆｉｌｅ）を取得することにより、移動端末８に対する呼制御の準備が完了する。
【００２７】
ＨＳＳ５はＡＳ９に移動端末８の登録を通知する。
【００２８】
ＡＳ９は、前にＳ−ＣＳＣＦ６から受けたＳＩＰのＩＮＶＩＴＥメッセージをＳ−ＣＳＣＦ６に送り、Ｓ−ＣＳＣＦ６がＰ−ＣＳＣＦ７を介して移動端末８にＳＩＰのＩＮＶＩＴＥメッセージを送信することにより移動端末８へのＳＩＰのＩＮＶＩＴＥメッセージの着信が完了する。
【００２９】
<ＷｉＭＡＸシステムにおける着信>
図６は、移動端末がアイドルモード（無線リソースを解放し、無線接続を行っていない状態）の時にＩＰパケットの着信があった場合のＷｉＭＡＸシステムにおける移動管理と無線リソース管理の関係を示すシステム構成図である。
【００３０】
まず、ＷｉＭＡＸ移動ネットワーク４０を構成するＣＳＮ（Ｃｏｎｎｅｃｔｉｖｉｔｙ  Ｓｅｒｖｉｃｅ  Ｎｅｔｗｏｒｋ）３５のＨＡ（Ｈｏｍｅ  Ａｇｅｎｔ）３６が移動端末１へのＩＰパケットを受信すると、ＡＳＮ（Ａｃｃｅｓｓ  Ｓｅｒｖｉｃｅ  Ｎｅｔｗｏｒｋ）３０のＦＡ（Ｆｏｒｅｉｇｎ  Ａｇｅｎｔ）３４と連携するＤＰＦ（Ｄａｔａ  Ｐａｔｈ  Ｆｕｎｃｔｉｏｎ）３３にＩＰパケットを送信する。
【００３１】
ＤＰＦ３３は、ＡＳＮ３０内のデータ・パスを管理しており、ＰＣ（Ｐａｇｉｎｇ  Ｃｏｎｔｒｏｌｌｅｒ）３２に移動端末１のページングの開始を要求する。
【００３２】
ＰＣ３２は移動端末位置を調べ、ページング領域にある１つ以上のＢＳ（Ｂａｓｅ  Ｓｔａｔｉｏｎ）３１にページング・アナウンス・メッセージを送信する。
【００３３】
ＢＳ３１はページング・メッセージをブロードキャストし、移動端末１がこれを受けてアイドルモードを脱け、無線接続状態になる。
【００３４】
なお、特許文献１には、発信移動端末と着信移動端末のドメインが異なるため必要となるＩＰアドレスの変換をＳＩＰサーバ移動端末への着信時にＤＮＳ−アプリケーション・レベル・ゲートウェイを参照して変換することが記載されている。
【００３５】
また、特許文献２には、移動ノードがＨＡとの間で訪問先ネットワークで取得した気付アドレスの登録手順を行い、移動ノードがＳＩＰサーバとの間で気付アドレスの登録手順を行い、移動ノードと通信相手ノードとの間でＨＡを経由することなくＳＩＰサーバを介して通信手順を行うことが記載されている。
【００３６】
また、特許文献３には、在圏エリアでのサービス実行を行うために、位置情報としてＣｏＡが必要であり、その情報をプレゼンスサーバに登録することが記載されている。
【特許文献１】特開２００３−３４８１７４号公報
【特許文献２】特開２００６−１１５４５３号公報
【特許文献３】特開２００５−３４０９８２号公報
【発明の開示】
【発明が解決しようとする課題】
【００３７】
ＷｉＭＡＸシステムではＩＰパケット・レベルの着信の対策がとられているが、ＩＭＳのようなアプリケーション・レベルにおいては３Ｇと同様な問題が残る。また、ＷｉＭＡＸシステムではモバイルＩＰを用いるため、モバイルＩＰとＩＭＳの連携を維持する課題も生ずる。
【００３８】
図７は、ＷｉＭＡＸシステムにおいて移動端末１に対するＳＩＰのＩＮＶＩＴＥメッセージ着信時のモバイルＩＰとＩＭＳの連携を示すシステム構成図である。ここでは移動端末１はＩＭＳ登録済とする。
【００３９】
まず、発信移動端末（図では省略）に割り当てられたＳ−ＣＳＣＦ６がＳＩＰのＩＮＶＩＴＥメッセージを受ける。
【００４０】
Ｓ−ＣＳＣＦ６は移動端末１に割りつけられているＳ−ＣＳＣＦ４にＳＩＰのＩＮＶＩＴＥメッセージを送信するため、Ｉ−ＣＳＣＦ３にＳＩＰのＩＮＶＩＴＥメッセージを送信する。
【００４１】
Ｉ−ＣＳＣＦ３は、ＨＳＳ５に問い合わせを行い、移動端末１に割りつけられているＳ−ＣＳＣＦ４のアドレスを取得し、Ｓ−ＣＳＣＦ４にＳＩＰのＩＮＶＩＴＥメッセージを送信する。
【００４２】
Ｓ−ＣＳＣＦ４がＰ−ＣＳＣＦ２にＳＩＰのＩＮＶＩＴＥメッセージを送信し、Ｐ−ＣＳＣＦ２がＨＡ３６に送信することにより、ＨＡ３６からＦＡ３４、ＢＳ３１を通って移動端末１にＳＩＰのＩＮＶＩＴＥメッセージが送られる。
【００４３】
このシーケンスにおいて、ＩＭＳ２０内で移動端末１の宛先アドレスとしてはＳＩＰ−ＵＲＩ（ｕｓｅｒｎａｍｅ＠ｄｏｍａｉｎの形式）が使用される。移動端末１のＩＰアドレスは移動先のネットワークによって異なるアドレスが割り振られるため、ＩＭＳ２０内では使用しない。
【００４４】
一方、ＷｉＭＡＸ移動ネットワーク４０内では移動端末１の宛先アドレスをＩＰアドレスにする必要がある。すなわち、モバイルＩＰによるパス設定を行うため、移動端末１がＷｉＭＡＸ移動ネットワークに接続する際にＨＡ３６に割り振られたＨｏＡ（Ｈｏｍｅ  Ａｄｄｒｅｓｓ）が移動端末１のＩＰアドレスとなる。このため、Ｐ−ＣＳＣＦ２が移動端末１のＩＭＳ登録時に、ＳＩＰ−ＵＲＩとＩＰアドレス（ＨｏＡ）の対応を管理することになる。
【００４５】
しかし、図４で説明したように移動端末１のＩＭＳ登録がなされていない場合、ＳＩＰメッセージを移動端末１に送信することができない。これは、図８のシステム構成図に示すように、ＷｉＭＡＸシステムではショート・メッセージの仕組みがないため、図４で説明したショート・メッセージによる送信方法が使用できないという問題があった。
【００４６】
本発明は、上記の点に鑑みなされたものであり、ＩＰ網に未登録の移動端末へのメッセージを着信させることができるメッセージ着信方法、認証サーバ、アプリケーションサーバ及び移動端末を提供することを目的とする。
【課題を解決するための手段】
【００４７】
本発明の一実施態様による認証サーバは、移動端末がＩＰ網によって構築された移動ネットワークに接続するとき前記移動端末のネットワーク接続認証を行い、モバイルＩＰによるホームエージェントまでのパス設定が行われたのち、ホームエージェントと前記移動端末の移動管理サービス認証を行う認証サーバにおいて、
前記移動端末のＩＰアドレスと前記移動端末のドメイン名を、ＩＰアドレスとドメイン名を管理するドメイン管理サーバに登録する登録手段を有することにより、ＩＰ網に未登録の移動端末へのメッセージを着信させることが可能となる。
【００４８】
前記認証サーバにおいて、
前記移動端末のネットワーク接続認証を行うときにＩＰ網の加入者管理サーバから取得した前記移動端末の電話番号をＥＮＵＭ形式のドメイン名に変換するＥＮＵＭ変換手段を有し、
前記電話番号をＥＮＵＭ形式に変換したドメイン名を前記移動端末のドメイン名として前記ドメイン管理サーバに登録する構成としても良い。
【００４９】
本発明の一実施態様によるアプリケーションサーバは、移動ネットワークが接続されたＩＰ網のアプリケーションサーバにおいて、
前記ＩＰ網の加入者管理サーバに未登録の移動端末に対する着信メッセージが供給されたとき、前記着信移動端末の電話番号をＥＮＵＭ形式のドメイン名に変換するＥＮＵＭ変換手段を有し、
前記ＥＮＵＭ変換手段で変換されたＥＮＵＭ形式のドメイン名でドメイン管理サーバを参照して着信移動端末のＩＰアドレスを取得する参照手段を有することにより、ＩＰ網に未登録の移動端末へのメッセージを着信させることが可能となる。
【００５０】
前記アプリケーションサーバにおいて、
前記ＩＰ網は、セッション開始プロトコルを用いた構成としても良い。
【００５１】
前記アプリケーションサーバにおいて、
前記参照手段で取得したＩＰアドレスの着信移動端末に対し登録要求メッセージを送信する登録要求手段を有する構成としても良い。
【００５２】
前記アプリケーションサーバにおいて、
前記登録要求手段が前記登録要求メッセージを送信する前に、前記加入者管理サーバに対し、前記登録要求メッセージを送信する移動端末の登録が完了したとき完了通知を行うよう要求する通知要求手段を有する構成としても良い。
【００５３】
前記アプリケーションサーバにおいて、
前記加入者管理サーバから前記完了通知を受けたとき、前記着信メッセージを前記着信移動端末に送信する着信メッセージ送信手段を有する構成としても良い。
【００５４】
本発明の一実施態様による移動端末は、前記登録要求メッセージを受信したとき、前記ＩＰ網の加入者管理サーバに対し登録メッセージを送信する登録実行手段を有することにより、ＩＰ網に未登録の移動端末へのメッセージを着信させることが可能となる。
【００５５】
本発明の一実施態様によるメッセージ着信方法は、ＩＰ網によって構築された移動ネットワークのメッセージ着信方法であって、
移動端末が前記移動ネットワークに接続するとき前記移動端末のネットワーク接続認証を行い、モバイルＩＰによるホームエージェントまでのパス設定が行われたのち、ホームエージェントと前記移動端末の移動管理サービス認証を行う認証サーバは、
前記移動端末のネットワーク接続認証を行うときにＩＰ網の加入者管理サーバから取得した前記移動端末の電話番号をＥＮＵＭ形式のドメイン名に変換し、
前記電話番号をＥＮＵＭ形式に変換したドメイン名を前記移動端末のドメイン名として前記ドメイン管理サーバに登録し、
移動ネットワークが接続されたＩＰ網のアプリケーションサーバは、
前記ＩＰ網の加入者管理サーバに未登録の移動端末に対する着信メッセージが供給されたとき、前記着信移動端末の電話番号をＥＮＵＭ形式のドメイン名に変換し、
変換されたＥＮＵＭ形式のドメイン名でドメイン管理サーバを参照して着信移動端末のＩＰアドレスを取得し、
取得したＩＰアドレスの着信移動端末に対し登録要求メッセージを送信し、
移動端末は、前記登録要求メッセージを受信したとき前記ＩＰ網の加入者管理サーバに対し登録メッセージを送信し、
前記アプリケーションサーバは、前記登録要求メッセージを送信する前に、前記加入者管理サーバに対し、前記登録要求メッセージを送信する移動端末の登録が完了したとき完了通知を行うよう要求し、
前記加入者管理サーバから前記完了通知を受けたとき、前記着信メッセージを前記着信移動端末に送信することにより、ＩＰ網に未登録の移動端末へのメッセージを着信させることが可能となる。
【００５６】
前記メッセージ着信方法において、前記ＩＰ網は、セッション開始プロトコルを用いた構成としても良い。
【発明の効果】
【００５７】
本発明によれば、ＩＰ網に未登録の移動端末へのメッセージを着信させることができる。
【発明を実施するための最良の形態】
【００５８】
以下、図面に基づいて本発明の実施形態について説明する。
【００５９】
<本発明の原理>
本発明では、移動端末のＩＰアドレス（ＨｏＡ）と電話番号をＤＮＳ（Ｄｏｍａｉｎ  Ｎａｍｅ  Ｓｅｒｖｅｒ）登録することにより、未登録移動端末に対して着信したＳＩＰメッセージをＩＭＳがＨＡに送信できるようにする。このため、移動端末には電話番号が付与されている必要がある。
【００６０】
ＤＮＳサーバは、ＥＮＵＭ（Ｅ．１６４  Ｎｕｍｂｅｒ  Ｍａｐｐｉｎｇ）機能を持ち、電話番号をＩＴＵ−Ｔ勧告Ｅ．１６４に基づくドメイン名に変換し、検索可能なものとする。ＤＮＳサーバはドメイン名とＩＰアドレスの変換を行うため、ＳＩＰ−ＵＲＩ（ｕｓｅｒｎａｍｅ＠ｄｏｍａｉｎの形式）とＩＰアドレスの変換を行うことができない。このため、電話番号をＥＮＵＭ形式に変換したドメイン名とＩＰアドレス（ＨｏＡ）を登録し、ＥＮＵＭ機能によって変換を行うものとする。この変換を行うため、ＤＮＳ登録時及び検索時に電話番号をＥＮＵＭ形式に変換したドメイン名が必要になる。
【００６１】
ＤＮＳ登録は、移動端末のモバイルＩＰ設定時のＨＡ認証時に認証サーバが行うようにする。認証サーバは移動端末のネットワーク接続認証時にＨＳＳから加入者データを取得しておき、その中に含まれる電話番号をＥＮＵＭ形式に変換したドメイン名を用いてＨＡ認証時にＤＮＳ（ＥＮＵＭ）登録を行う。
【００６２】
ＤＮＳ検索は、着信側のＳ−ＣＳＣＦが未登録の移動端末への着信を受け、起動されたＡＳが行う。ＨＳＳから加入者データを取得し、その中に含まれる電話番号をＥＮＵＭ形式に変換したドメイン名を用いてＤＮＳ（ＥＮＵＭ）検索を行う。
【００６３】
これにより、未登録移動端末への着信があったときＩＭＳからＨＡにＳＩＰメッセージを送信できるようになる。
【００６４】
移動端末にはＩＭＳ未登録時にＳＩＰメッセージを受信したときにＩＭＳ登録を行う機能を持たせ、移動端末のＩＭＳ登録後にＩＭＳから再度移動端末にＳＩＰメッセージを送ることでその後の呼処理を進行させる。
【００６５】
移動端末のＩＭＳ登録後にＳＩＰメッセージを再送し呼処理を進行させるために、ＡＳはＳＩＰメッセージのＨＡへの送信前にＨＳＳに移動端末の登録完了を通知するように依頼しておく。そして、ＡＳがＨＳＳから移動端末の登録完了通知を受けると着信Ｓ−ＣＳＣＦにＳＩＰメッセージを送信し、通常のＩＭＳ呼処理の手順で移動端末に向けてＳＩＰメッセージを送信させる。
【００６６】
<システム構成>
図９乃至図１１は、本発明の一実施形態を示すシステム構成図である。図９乃至図１１において、ＩＭＳ２０のＰ−ＣＳＣＦ２は、各移動端末がそれぞれ接続したネットワークからＩＭＳに接続するための接続ポイントである。Ｉ−ＣＳＣＦ３は各移動端末１に対してそれぞれ呼制御を担当するＳ−ＣＳＣＦ４，６の割り付けや相手移動端末の参照を行う。Ｓ−ＣＳＣＦ４，６は各移動端末１に対してそれぞれ呼制御を担当する。ＨＳＳ５は加入者データを管理する。
【００６７】
ＡＳ４２は呼処理において特別な処理を実行するために設けられており、移動端末にショート・メッセージを送信すると共に、電話番号をＥＮＵＭ形式のドメイン名に変換してＤＮＳ（ＥＮＵＭ）サーバ４１の検索を行う。
【００６８】
ＷｉＭＡＸ移動ネットワーク４０のＡＳＮ３０におけるＢＳ３１は移動端末１と無線接続する。ＦＡ３４はモバイルＩＰによる移動端末１の経路制御を行う。オーセンティケータ３７は移動端末がＡＡＡ認証サーバ３８と認証を行う際の網内の認証クライアントとなる。
【００６９】
ＷｉＭＡＸ移動ネットワーク４０のＣＳＮ３５のＨＡ３６はモバイルＩＰによる移動端末の経路制御を行う。ＡＡＡ認証サーバ３８は移動端末のネットワーク接続の認証とモバイルＩＰ認証を行う。更に、移動端末１の電話番号をＥＮＵＭ形式のドメイン名に変換してＤＮＳ（ＥＮＵＭ）サーバ４１に登録する機能を持つ。
【００７０】
ＤＮＳ（ＥＮＵＭ）サーバ４１は、ドメイン名とＩＰアドレスの変換を行うものであり、ＥＮＵＭ機能を持ちＥＮＵＭ形式の電話番号をドメイン名に変換し検索することが可能である。
【００７１】
図１２は、ＡＡＡ認証サーバ３８の一実施形態の機能構成図を示す。同図中、ＡＡＡ通常処理部５０は、オーセンティケータ３７と接続して通常のユーザ認証処理を行う。その際に、ＨＳＳ５に接続して移動端末の加入者データを取得する。電話番号／ＥＮＵＭ変換部５１は、加入者データの中の電話番号をＥＮＵＭ形式のドメイン名に変換する。ＤＮＳ登録部５２は、ＤＮＳ（ＥＮＵＭ）サーバ１８と接続されてＥＮＵＭ形式のドメイン名とＨｏＡをＤＮＳ（ＥＮＵＭ）サーバ１８に登録する。
【００７２】
図１３は、ＡＳ４２の一実施形態の機能構成図を示す。同図中、ＳＩＰ呼処理部６０は、Ｓ−ＣＳＣＦ４，６と接続して通常のＳＩＰ呼処理を行う。また、ＳＭＳＣ１０と接続して移動端末にショート・メッセージを送信する。ＳＩＰクライアント制御部６１は、ＨＳＳ５と接続されて加入者データ等を取得する。また、メッセージ送受信部６４を介してＨＡ３６，Ｓ−ＣＳＣＦ４，６にＳＩＰメッセージを送信し、ＨＡ３６，Ｓ−ＣＳＣＦ４，６からＳＩＰメッセージを受信する。電話番号／ＥＮＵＭ変換部６２は、加入者データの中の電話番号をＥＮＵＭ形式のドメイン名に変換する。ＤＮＳ参照部６３は、ＤＮＳ（ＥＮＵＭ）サーバ１８と接続されてＥＮＵＭ形式のドメイン名で参照してＨｏＡを取得する。メッセージ送受信部６４は、ＨＡ３６，Ｓ−ＣＳＣＦ４と接続されてＳＩＰメッセージを送受信する。
【００７３】
図９はＤＮＳ登録を示すシステム構成図である。移動端末１のネットワーク接続、モバイルＩＰ設定において、ＡＡＡ認証サーバ３８がＤＮＳ（ＥＮＵＭ）サーバ１８に登録を行う。
【００７４】
ステップＳ１：移動端末１は、ネットワークに接続する際、ＡＳＮ３０のオーセンティケータ３７を介してＣＳＮ３５のＡＡＡ認証サーバ３８と認証を行う。その際、ＡＡＡ認証サーバ３８はＨＳＳ５から移動端末１の加入者データを取得して、認証情報及びサービス情報を取得する。
【００７５】
ステップＳ２：次に、移動端末１はモバイルＩＰの設定を行い、ＩＰアドレス（ＨｏＡ）が割りつけられる。その際、ＨＡ３６がＡＡＡ認証サーバ３８と認証（移動管理サービスに関する認証）を行い、ＡＡＡ認証サーバ３８は先に得ている加入者データの中の電話番号をＥＮＵＭ形式のドメイン名に変換し、ＥＮＵＭ形式のドメイン名とＨｏＡをＤＮＳ（ＥＮＵＭ）サーバ１８に登録する。
【００７６】
図１０は、未登録の移動端末への着信処理を示すシステム構成図である。
【００７７】
ステップＳ３：発信側のＳ−ＣＳＣＦ６がＳＩＰのＩＮＶＩＴＥメッセージを受信したとき、着信側のＳ−ＣＳＣＦ４にＳＩＰのＩＮＶＩＴＥメッセージを送信するため、Ｉ−ＣＳＣＦ３にＳＩＰのＩＮＶＩＴＥメッセージを送信する。
【００７８】
ステップＳ４：Ｉ−ＣＳＣＦ３はＨＳＳ５に、移動端末１に割りつけられているＳ−ＣＳＣＦの問い合わせを行うが、未登録であるため、新たにＳ−ＣＳＣＦ４を割り当て、ＳＩＰのＩＮＶＩＴＥメッセージを送信する。
【００７９】
ステップＳ５：Ｓ−ＣＳＣＦ４は移動端末１の情報を持たないため、ＨＳＳ５から加入者データを取得する。未登録時に着信した動作として、ＡＳ４２の実行が加入者データ中に記述されている場合、Ｓ−ＣＳＣＦ４はＳＩＰのＩＮＶＩＴＥメッセージをＡＳ４２に送信する。
【００８０】
ステップＳ６：ＡＳ４２はＨＳＳ５に問い合わせを行い、加入者データを取得する。そして、加入者データ中に含まれる電話番号をＥＮＵＭ形式のドメイン名に変換し、ＥＮＵＭ形式のドメイン名でＤＮＳ（ＥＮＵＭ）サーバ１８を検索して移動端末１のＨｏＡを取得する。
【００８１】
ステップＳ７：ＡＳ４２はＨＡ３６への送信の前に、移動端末１がＩＭＳ登録した際に自装置に通知するようＨＳＳ５に要求してから、取得したＨｏＡに対応するＨＡ３６に対してＳＩＰのＩＮＶＩＴＥメッセージを送信する。
【００８２】
ステップＳ８：ＨＡ３６からＦＡ３４、ＢＳ３１を経由してＩＰアドレスが上記ＨｏＡである移動端末１にＳＩＰのＩＮＶＩＴＥメッセージが送信される。
【００８３】
図１１は、移動端末１がＳＩＰのＩＮＶＩＴＥメッセージを受信してＩＭＳ登録を行い、ＡＳ４２からのＳＩＰのＩＮＶＩＴＥメッセージ再送によって呼処理が続けられることを示すシステム構成図である。
【００８４】
ステップＳ９：移動端末１はＩＭＳ未登録時のＳＩＰメッセージ受信でＩＭＳ登録を行うＩＭＳ登録部１ａを装備し、ＳＩＰのＩＮＶＩＴＥメッセージを受けてＰ−ＣＳＣＦ２にＳＩＰのＲＥＧＩＳＴＥＲメッセージを送信する。
【００８５】
ステップＳ１０：Ｐ−ＣＳＣＦ２は移動端末１の呼制御を担当するＳ−ＣＳＣＦを割り当てるために、Ｉ−ＣＳＣＦ３にＳＩＰのＲＥＧＩＳＴＥＲメッセージを送信する。
【００８６】
ステップＳ１１：Ｉ−ＣＳＣＦ３はＨＳＳ５に問い合わせを行い、ＨＳＳ５は既にＰ−ＣＳＣＦ２に割り付けているＳ−ＣＳＣＦ４を選択し、Ｓ−ＣＳＣＦ４にＳＩＰのＲＥＧＩＳＴＥＲメッセージを送信する。
【００８７】
ステップＳ１２：Ｓ−ＣＳＣＦ４は自アドレスと加入者識別情報をＨＳＳ５に登録し、ＨＳＳ５から加入者データ（Ｕｓｅｒ  Ｐｒｏｆｉｌｅ）を取得することにより、移動端末１に対する呼制御の準備が完了する。
【００８８】
ステップＳ１３：ＨＳＳ５はＡＳ４２に移動端末１の登録完了を通知する。
【００８９】
ステップＳ１４：ＡＳ４２は前にＳ−ＣＳＣＦ４から受けたＳＩＰのＩＮＶＩＴＥメッセージをＳ−ＣＳＣＦ４に送り、Ｓ−ＣＳＣＦ４がＰ−ＣＳＣＦ２を介して移動端末１にＳＩＰのＩＮＶＩＴＥメッセージを送信することにより、移動端末１へのＳＩＰのＩＮＶＩＴＥメッセージの着信が完了する。
【００９０】
本実施形態によれば、ＩＭＳ未登録状態になってしまった移動端末に着信があったとき、移動端末内のＩＭＳクライアントを起動させ、ＩＭＳ登録させて着信させることができるため、既存の携帯電話に近い確実性で相手移動端末につなぐことができる。
【００９１】
また、ＩＭＳ以外のアプリケーションでもＤＮＳ検索を行って着信させることができるため、第３世代ネットワークでショート・メッセージを使用する場合に比べて広い範囲で利用することができる。
【００９２】
なお、ＤＮＳ（ＥＮＵＭ）サーバ４１が請求項記載のドメイン管理サーバに相当し、ＤＮＳ登録部５２が登録手段に相当し、ＨＳＳ５が加入者管理サーバに相当し、電話番号／ＥＮＵＭ変換部５１，６２がＥＮＵＭ変換手段に相当し、ＤＮＳ参照部６３が参照手段に相当し、ＳＩＰクライアント制御部６１，メッセージ送信部６４が登録要求手段及び通知要求手段及び着信メッセージ送信手段に相当し、ＩＭＳ登録部１ａが登録実行手段に相当する。
【図面の簡単な説明】
【００９３】
【図１】移動端末からＩＭＳに対する位置登録周期が長い場合に移動端末への着信ができない様子を説明するための図である。
【図２】ＩＭＳによるＩＰ電話の仕組みを示すシステム構成図である。
【図３】ＩＭＳにおけるメッセージの発着信を示すシステム構成図である。
【図４】移動端末が未登録の場合のメッセージ発着信を示すシステム構成図である。
【図５】移動端末が未登録の場合のメッセージ発着信を示すシステム構成図である。
【図６】ＷｉＭＡＸシステムにおける移動管理と無線リソース管理の関係を示すシステム構成図である。
【図７】ＷｉＭＡＸシステムにおいて移動端末に対するＳＩＰのＩＮＶＩＴＥメッセージ着信時のモバイルＩＰとＩＭＳの連携を示すシステム構成図である。
【図８】ＷｉＭＡＸシステムにおいて移動端末のＩＭＳ登録がなされていない場合を説明するためのシステム構成図である。
【図９】本発明の一実施形態のＤＮＳ登録を示すシステム構成図である。
【図１０】本発明の一実施形態の未登録の移動端末への着信処理を示すシステム構成図である。
【図１１】本発明の一実施形態のＩＮＶＩＴＥメッセージ再送による呼処理を示すシステム構成図である。
【図１２】ＡＡＡ認証サーバの一実施形態の機能構成図である。
【図１３】ＡＳの一実施形態の機能構成図である。
【符号の説明】
【００９４】
１  移動端末
１ａ  ＩＭＳ登録部
２  Ｐ−ＣＳＣＦ
３  Ｉ−ＣＳＣＦ３
４，６  Ｓ−ＣＳＣＦ
５  ＨＳＳ
２０  ＩＭＳ
３０  ＡＳＮ
３３  
３１  ＢＳ
３４  ＦＡ
３５  ＣＳＮ
３６  ＨＡ
３７  オーセンティケータ
３８  ＡＡＡ認証サーバ
４０  ＷｉＭＡＸ移動ネットワーク
４１  ＤＮＳ（ＥＮＵＭ）サーバ
４２  ＡＳ
５０  ＡＡＡ通常処理部
５１  電話番号／ＥＮＵＭ変換部
５２  ＤＮＳ登録部
６０  ＳＩＰ呼処理部
６１  ＳＩＰクライアント制御部
６２  電話番号／ＥＮＵＭ変換部
６３  ＤＮＳ参照部
６４  メッセージ送受信部
【図１】
2008167021.tif 000003
【図２】
2008167021.tif 000004
【図３】
2008167021.tif 000005
【図４】
2008167021.tif 000006
【図５】
2008167021.tif 000007
【図６】
2008167021.tif 000008
【図７】
2008167021.tif 000009
【図８】
2008167021.tif 000010
【図９】
2008167021.tif 000011
【図１０】
2008167021.tif 000012
【図１１】
2008167021.tif 000013
【図１２】
2008167021.tif 000014
【図１３】
2008167021.tif 000015